(57)【要約】【課題】照明器具を操作する外部端末において、外部端末で管理している照明器具の配置位置と、施工された照明器具のアドレスとを自動的に割り当てる。【解決手段】コントローラは、画像センサに対して、画像センサが制御対象としている照明器具の位置を決定する旨の指示を行う。画像センサは、指示を受けて、制御対象となっている照明器具を順に点灯し、画像検出部で検出した結果をもとに、画像センサに対する照明器具の位置を決定する。また、画像センサは、他の画像センサの指示で照明器具が点灯しているときに、画像検出部で検出した結果をもとに、他の画像センサの隣接関係を決定する。【選択図】図２
2017085455.tif 000002
【特許請求の範囲】
【請求項１】
画像センサから検出した明るさに応じて照明器具の明るさを調整する照明システムにおける設置時の照明器具と画像センサのアドレスの設定方法であって、
前記照明システムは、
コントローラと、複数の画像センサと、複数の照明器具と、前記コントローラに対して指示を行う外部端末とからなり、
前記照明器具は、
固有のアドレスを記憶する記憶部と、
前記画像センサと通信する通信部とを備え、
前記画像センサは、
複数の前記照明器具のうちの一部の照明器具と、前記コントローラと通信を行う通信部と、
当該画像センサの固有のアドレスと、前記通信部を通じて通信する照明器具のアドレスとを記憶する記憶部と、
前記一部の照明器具が照射している範囲の画像を検出する画像検出部と、
前記通信部を通じて受けた前記コントローラからの指示を解釈し、前記一部の照明器具に対して点灯及び消灯の指示を行う判断部とを備え、
前記コントローラは、
前記画像センサと、前記外部端末と通信する通信部と、
前記外部端末から受信した指示を解釈して、前記画像センサに対してコマンドを送信し、また、前記画像センサから受信した指示を解釈する判断部とを備え、
前記外部端末は、
前記コントローラと通信する通信部と、
ユーザからの指示を受ける操作部と、
マップデータを保存する記憶部と、
前記マップデータを表示する表示部とを備え、
前記マップデータは、少なくとも前記画像センサと前記照明器具の空間的な配置位置を含んでおり、
前記外部端末は、
前記操作部が、ユーザからの設置設定の指示を受け付けると、
前記コントローラに対して、設置設定の指示を開始する指示を発信し、
前記コントローラは、前記外部端末から前記設置設定の指示を開始する指示を受信すると、前記画像センサに対して位置関係を決定する指示を発信し、
前記画像センサは、
前記位置関係を決定することを指示するコマンドを受信すると、
前記画像センサの判断部は、当該画像センサが通信対象とする照明器具に対して順に、前記通信対象とする照明器具に対して点灯指示を行い、前記画像検出部により検出した画像をもとに、点灯指示を行った前記照明器具が当該画像センサに対して配置されている位置を判断し、判断した結果をもとに点灯指示を行った前記照明器具と前記位置とを関連づけて前記コントローラに対して送信し、
前記コントローラの判断部は、
前記画像センサに対して、画像センサの隣接関係を決定する指示を送信し、
さらに、前記画像センサに対して、順に、前記画像センサが通信できる照明器具に対して点灯する指示を行い、
前記画像センサは、
前記画像センサから、画像センサの隣接関係を決定する前記指示を受信すると、
前記画像センサの判断部は、当該画像検出部により検出した画像をもとに、前記コントローラが照明器具を点灯することを指示した画像センサの位置を判断し、判断した結果をもとに当該画像センサに対する前記コントローラが照明器具を点灯することを指示した画像センサの隣接関係を前記コントローラに対して送信し、
前記コントローラの判断部は、
前記画像センサから受信した前記画像センサの隣接関係と、前記照明器具の前記画像センサに対する位置をもとに、複数の前記画像センサと複数の前記照明器具との位置を決定し、前記記憶部に記憶し、前記外部端末に対して複数の前記画像センサと複数の前記照明器具との位置の情報を送信し、
前記複数の照明器具のうちの一つに対して点灯指示を行い、
前記外部端末は、
前記コントローラから、複数の前記画像センサと複数の前記照明器具との位置の情報を受信した後に、
前記マップデータを前記表示部に表示し、ユーザに対して照明器具または画像センサを選択することを促す表示を行い、
前記表示部に表示された前記マップデータのうち、ユーザにより選択された照明器具の位置を、前記コントローラにより点灯指示された前記複数の照明器具のうちの一つの照明器具として割り当て、前記一つの照明器具を基準として、前記マップデータの表示された照明器具及び画像センサに対する、アドレスを決定する、
照明システムにおける設置時の照明器具と画像センサのアドレスの設定方法。
【請求項２】
請求項１記載のアドレスの設定方法により、前記照明器具と前記画像センサのアドレスを決定する照明システム。
【発明の詳細な説明】
【技術分野】
【０００１】
本開示は、照明器具を操作する外部端末において、外部端末で管理している照明器具の配置位置と、施工された照明器具のアドレスとの自動割り当て方法に関する。
【背景技術】
【０００２】
特許文献１には、コントローラを用いて複数の照明器具の点灯状態の制御を行う照明システムが記載されている。
【先行技術文献】
【特許文献】
【０００３】
【特許文献１】特開２０１４−４４９１５号公報
【発明の概要】
【発明が解決しようとする課題】
【０００４】
本開示は、照明器具に対して点灯状態などの指示を行う外部端末が、それぞれの照明器具に対して点灯などの指示を正しくできるようにするため、それぞれの照明器具が持つアドレスを外部端末に記憶させ、外部端末の画面上に視覚的に表示された照明器具の配置情報と、施工された照明器具との配置関係とを容易に割り当てる方法を提供することである。
【課題を解決するための手段】
【０００５】
上記課題を解決するために、本開示における照明システムは、コントローラと、複数の画像センサと、複数の照明器具と、コントローラに対して指示を行う外部端末とからなり、照明器具は、固有のアドレスを記憶する記憶部と、画像センサと通信する通信部とを備え、画像センサは、複数の照明器具のうちの一部の照明器具と、コントローラと通信を行う通信部と、当該画像センサの固有のアドレスと、通信部を通じて通信する照明器具のアドレスとを記憶する記憶部と、一部の照明器具が照射している範囲の画像を検出する画像検出部と、通信部を通じて受けたコントローラからの指示を解釈し、一部の照明器具に対して点灯及び消灯の指示を行う判断部とを備え、コントローラは、画像センサと、外部端末と通信する通信部と、外部端末から受信した指示を解釈して、画像センサに対してコマンドを送信し、また、画像センサから受信した指示を解釈する判断部とを備え、外部端末は、コントローラと通信する通信部と、ユーザからの指示を受ける操作部と、マップデータを保存する記憶部と、マップデータを表示する表示部とを備え、マップデータは、少なくとも画像センサと照明器具の空間的な配置位置を含んでおり、外部端末は、操作部が、ユーザからの設置設定の指示を受け付けると、コントローラに対して、設置設定の指示を開始する指示を発信し、コントローラは、外部端末から設置設定の指示を開始する指示を受信すると、画像センサに対して位置関係を決定する指示を発信し、画像センサは、位置関係を決定することを指示するコマンドを受信すると、画像センサの判断部は、当該画像センサが通信対象とする照明器具に対して順に、通信対象とする照明器具に対して点灯指示を行い、画像検出部により検出した画像をもとに、点灯指示を行った照明器具が当該画像センサに対して配置されている位置を判断し、判断した結果をもとに点灯指示を行った照明器具と位置とを関連づけてコントローラに対して送信し、コントローラの判断部は、画像センサに対して、画像センサの隣接関係を決定する指示を送信し、さらに、画像センサに対して、順に、画像センサが通信できる照明器具に対して点灯する指示を行い、画像センサは、画像センサから、画像センサの隣接関係を決定する指示を受信すると、画像センサの判断部は、当該画像検出部により検出した画像をもとに、コントローラが照明器具を点灯することを指示した画像センサの位置を判断し、判断した結果をもとに当該画像センサに対するコントローラが照明器具を点灯することを指示した画像センサの隣接関係をコントローラに対して送信し、コントローラの判断部は、画像センサから受信した画像センサの隣接関係と、照明器具の画像センサに対する位置をもとに、複数の画像センサと複数の照明器具との位置を決定し、記憶部に記憶し、外部端末に対して複数の画像センサと複数の照明器具との位置の情報を送信し、複数の照明器具のうちの一つに対して点灯指示を行い、外部端末は、コントローラから、複数の画像センサと複数の照明器具との位置の情報を受信した後に、マップデータを表示部に表示し、ユーザに対して照明器具または画像センサを選択することを促す表示を行い、表示部に表示されたマップデータのうち、ユーザにより選択された照明器具の位置を、コントローラにより点灯指示された複数の照明器具のうちの一つの照明器具として割り当て、一つの照明器具を基準として、マップデータの表示された照明器具及び画像センサに対する、アドレスを決定する。
【発明の効果】
【０００６】
本開示における照明器具の位置割り当て方法によると、画像センサとその制御対象となる照明器具とを順次点灯させ、照明器具の明るさの位置を検出することにより、画像センサと照明器具それぞれの位置関係を判断できるため、外部端末で管理している照明器具の配置位置と、施工された照明器具のアドレスとを自動的に割り当てられることになり、設定者が照明器具の位置割り当てにかける手間を削減できる。
【図面の簡単な説明】
【０００７】
【図１】実施の形態における照明システムの構成を表すブロック図
【図２】実施の形態におけるコントローラと画像センサと照明器具の配置と構成の例を表すブロック図
【図３】実施の形態におけるアドレス決定のフローチャート
【図４】実施の形態におけるアドレス決定のフローチャート
【図５】実施の形態における外部端末上に表示される設定者が選択した画像センサの表示を示す図
【図６】実施の形態における外部端末上に表示される画像センサと照明器具の配置の例を示す図
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
（実施の形態）
以下、図１〜６を用いて、実施の形態について説明する。
【００１１】
［１−１．構成］
図１には、実施の形態における照明システムの構成を示す。図２には、照明システムを構成する、照明器具１、画像センサ２、コントローラ３、外部端末４の構成と配置の例を示す。
【００１２】
実施の形態における照明システムでは、図２に示すように、画像センサ２ａ〜２ｄと、コントローラ３とは通信線５を介して接続されている。
【００１３】
画像センサ２には、それぞれ４台の照明器具１が接続されている。以下の説明では、画像センサ２に接続された照明器具１を、配下の照明器具と呼ぶ。画像センサ２は、４台の配下の照明器具の中央に置かれ、４台の照明器具が照射対象とする面などを照射している明るさを検出できる位置に設置されている。照射対象とする面は、例えば床面などである。
【００１４】
照明器具１には照明器具間では互いに異なるアドレスが割り当てられている。また、画像センサ２には、画像センサ間では互いに異なるアドレスが割り当てられている。照明器具のアドレスや、画像センサのアドレスは、ランダムなアドレスであり、予め割り当てられている。コントローラ３にも、コントローラ間では互いに異なる、ランダムなアドレスが予め割り当てられている。照明器具１、画像センサ２、コントローラ３、外部端末４とは互いに通信を行う。
【００１５】
外部端末４には、照明器具１、画像センサ２、コントローラ３の仮の配置状態を表すマップデータが記憶されている。外部端末４は、マップデータを用いて、画面上に照明器具１、画像センサ２、コントローラ３の配置状態を、視覚的にわかりやすく表示することができる。
【００１６】
照明器具１、画像センサ２、コントローラ３、外部端末４とが通信を行いながら、また、外部端末４に対する設置設定者からの指示に従って、実際に設置された照明器具１、画像センサ２、コントローラ３と、外部端末４との間での割り当てを行い、マップデータを更新しつつ、実際に設置された配置状態となるマップデータを生成する。
【００１７】
照明器具１は、事務所内や、部屋の内部などの天井部分に設けられた照明器具である。照明器具には、例えば、シーリングライトや、直管形状のライト、ダウンライトなど種々のものがある。
【００１８】
画像センサ２は、室内の明るさを検知するセンサである。外光からの照射された室内の明るさや、照明器具１が点灯している際の明るさなど、室内の照度の分布を画像として取り出す。
【００１９】
コントローラ３は、画像センサ２に対して調光信号を送信する。また、画像センサ２からのアドレスや位置情報を受信する。
【００２０】
外部端末４は、設定者から受けた操作の指示をコントローラ３に対して送信する。
【００２１】
図２に示すように、照明システムは複数の画像センサ２と、各画像センサ２に接続される照明器具１、画像センサ２に接続されるコントローラ３とから構成される。また、それぞれの照明器具１と、それぞれの画像センサ２、コントローラ３には、予めランダムなアドレスが割り当てられている。
【００２２】
（照明器具）
照明器具１は、光源部１１、電源部１２、判断部１３、通信部１４、記憶部１５とから構成される。
【００２３】
光源部１１は、判断部１３からの指示を受けて、室内を照射する光を発光する。光源部１１は、発光ダイオード等を用いた光源などで構成することができる。
【００２４】
電源部１２は、光源部１１及び判断部１３、通信部１４、記憶部１５に対して、それぞれが動作するための電力を供給する。
【００２５】
判断部１３は、光源部１１の点灯するタイミングや、画像センサ２との通信処理を行う。汎用または専用のマイコンなどを用いて構成することができる。
【００２６】
通信部１４は、照明器具１のアドレス情報を画像センサ２に対して送る。また、通信部１４は、画像センサ２から送られてきた、照明器具１が点灯する明るさを表す調光信号や、照明器具１に対する指示を表す制御信号を受信し、光源部１１の点灯や消灯の制御をする。
【００２７】
記憶部１５は、照明器具のアドレスを記憶する。照明器具１には、予めランダムなアドレスが割り当てられており、このアドレス情報が記憶部１５に格納される。
【００２８】
画像センサ２から照明器具１に送られる制御信号には、宛先となる照明器具のアドレスが含まれている。通信部１４は、制御信号に含まれる宛先のアドレスが、照明器具１のアドレスと等しい場合には、制御信号を受け取る。判断部１３は、通信部１４が受け取った制御信号に従い、光源部１１を制御して、点灯や、明るさの調整、消灯等を行う。
【００２９】
（画像センサ）
画像センサ２は、画像検出部２１、電源部２２、判断部２３、通信部２４、記憶部２５とから構成されている。
【００３０】
画像検出部２１は、照明器具１が照射する光を検知する。画像検出部２１の検出範囲には方向を認識する機能が備わっている。
【００３１】
電源部２２は、判断部２３、通信部２４、記憶部２５へ電力を供給する。
【００３２】
判断部２３は、判断部２３、通信部２４、記憶部２５の制御を行う。汎用または専用のマイコンなどを用いて構成することができる。
【００３３】
通信部２４は、照明器具１及びコントローラ３と通信する。照明器具１に対する、点灯、明るさの調整、消灯の指示を送信し、照明器具１から現在の状態を受信し、また、コントローラ３からの指示の受信や、画像センサ２の状態をコントローラ３に対して送信する。
【００３４】
記憶部２５は、画像センサ２のアドレスや、配下の照明器具のアドレスと位置を検出する。
【００３５】
（コントローラ）
コントローラ３は、電源部３２、判断部３３、通信部３４、記憶部３５とから構成される。
【００３６】
通信部３４は、外部端末４から送られてくる制御信号を画像センサ２に送信する。また、画像センサ２から送られてくる信号を外部端末４へ送信する。
【００３７】
（外部端末）
外部端末４は、操作部４１、電源部４２、判断部４３、通信部４４、記憶部４５、表示部４６とから構成される。
【００３８】
操作部４１は、設定者からの操作を受け付ける。
【００３９】
電源部４２は、判断部４３、通信部４４、記憶部４５へ電力を供給する。
【００４０】
判断部４３は、判断部４３、通信部４４、記憶部４５の制御を行う。汎用または専用のマイコンなどを用いて構成することができる。
【００４１】
通信部４４は、コントローラ３と通信する。コントローラ３に対して、設定者から受けた操作の内容を制御信号として送信し、また、コントローラ３からは、画像センサ及び照明器具の位置とアドレスを受信する。
【００４２】
記憶部４５は、照明器具１、画像センサ２、コントローラ３の設置されている位置を、室内などのフロアの配置とともにマップデータとして記憶する。
【００４３】
マップデータとは、照明器具１、画像センサ２、コントローラ３の設置される位置と、フロアの配置を表すデータである。設置される位置を座標形式で保持したり、画像形式で保持するなど、マップデータには種々の表現形式を用いることができる。
【００４４】
マップデータは、操作部４１を用いて設置設定者により外部端末４に入力される。外部端末４に備わったユーザインタフェースなどを利用して、外部端末４に対して照明器具１、画像センサ２、コントローラ３を表すはアイコンを配置したり、フロアの配置の概略図を描いたりする。
【００４５】
表示部４６は、外部端末４において、設置設定者が入力したマップデータや、コントローラ３に対して送る指示情報などを表示する。ＧＵＩ（Ｇｒａｐｈｉｃａｌ  Ｕｓｅｒ  Ｉｎｔｅｒｆａｃｅ）を用いた表示を行ったりすることができる。
【００４６】
表示部４６には、室内における照明器具１や、画像センサ２、コントローラ３などを、アイコンなどとともに、これらの設置位置に従った平面的な配置を表示するようにしても構わないし、立体的に表示するようにしても構わない。また、表示部４６には、設置設定者からの指示に応じて、照明器具１、画像センサ２、コントローラ３などのアイコンや色を変えて表示しても構わず、また、略称や種別名などの情報とともに表示するように構成しても構わない。
【００４７】
［１−２．動作］
図３、図４は、実施の形態における外部端末４、コントローラ３、画像センサ２、照明器具１の動作を示すフローチャートである。
【００４８】
設置設定者が外部端末４に対して、画像センサ２の位置割り当てを指示すると、外部端末４の通信部４４からコントローラ３の通信部３４に対して位置割り当て開始信号が送られる（Ｓ３０１）。さらに、コントローラ３の通信部３４より画像センサ２ａ〜２ｄの通信部２４に対して位置割り当て開始信号を送る（Ｓ３０２）。画像センサ２ａ〜２ｄは位置割り当て開始信号を受信するとセンサの位置割り当て動作を開始する。
【００４９】
まず、画像センサ２ａ〜２ｄの中でアドレスが小さい順に次の動作を行う。今回は仮に画像センサ２ａを最小のアドレスを持つ画像センサであるものとする。また、以下ではこの画像センサを親機の画像センサと呼ぶ。
【００５０】
画像センサ２ａは通信部２４から配下の４台の照明器具１の通信部１４に対して、照明器具のアドレスが小さい順に、点灯指示をする調光信号を送信する（Ｓ３０３）。画像センサ２ａは配下の照明器具を点灯させている（Ｓ３０４）間、画像検出部２１を用いて配下の照明器具の点灯状態を監視し、光強度を検出する。検出した光強度を元に、点灯している照明器具が画像センサ２ａに対してどの方向に配置されているのかを判断し（Ｓ３０５）、記憶部２５に点灯させた照明器具のアドレスとその位置とを対応づけて保存する。この手順を配下の照明器具すべてのアドレスと位置が決定できるまで繰り返す。この動作を各画像センサ２ｂ〜２ｄがアドレスの小さい順に行い、すべての画像センサ２ａ〜２ｄが配下の照明器具のアドレスと位置を決定できるまで繰り返す（Ｓ３０６）。
【００５１】
すべての画像センサ２ａ〜２ｄの配下の照明器具のアドレスと位置情報が決定されると、それぞれの画像センサ２ｂ〜２ｄは親機の画像であるセンサ２ａに配下の照明器具のアドレスと位置情報を送信し、画像センサ２ａは記憶部２５に保存する。
【００５２】
親機の画像センサ２ａは記憶部２５に保存している画像センサ２ａ〜２ｄのアドレスと配下の照明器具のアドレスと位置情報を通信部２４からコントローラ３の通信部３４へ送信し、コントローラ３は外部端末４の通信部４４へ送信し、記憶部３５へ保存する。なお、照明器具のアドレスと位置が決定されるたびに、親機の画像センサ２ａからコントローラ３に対して送信しても構わないし、または、子機の画像センサ２ｂ〜２ｄが直接コントローラ３に対して照明器具１の位置とアドレスを、照明器具１のアドレスと位置が決定されるたびに送信するようにしても構わない。
【００５３】
次に、画像センサ２のアドレスと位置を決定する。上述した照明器具１のアドレスと位置を決定するのと同様の手順で行う。画像センサ２のうちのアドレスの小さいものから順に、配下の照明器具１に対して点灯する指示をコントローラ３は画像センサ２に対して送る（Ｓ３０７）。親機の画像センサ２ａは、子機の画像センサ２ｂ〜２ｄに対して照明器具の点灯を指示する（Ｓ３０８、Ｓ３０９）。そして、照明器具１の点灯状況を、画像センサ２は検出し、画像センサ２の隣接関係を検出する（Ｓ３１０）。その後、画像センサ２の隣接関係と、アドレス情報をコントローラ３に対して送信する（Ｓ３１０）。以下詳しく説明する。
【００５４】
外部端末４の表示部４６において画像センサ２ａ〜２ｄのアドレスを表示する。設置設定者は表示される任意の１台の画像センサのアドレスを指定し、親機に指定する。今回は画像センサ２ａを親機の画像センサと設定する。
【００５５】
外部端末４の通信部４４から画像センサの隣接関係を抽出することを示す信号がコントローラ３の通信部３４に送信され、次に画像センサ２ａの通信部２４に送信される（Ｓ３０７）。親機に指定された画像センサ２ａは配下に繋がる全照明器具の通信部１４に点灯信号を送り全点灯させる（Ｓ３０８、Ｓ３０９）。
【００５６】
このとき、親機の画像センサ２ａは、他の画像センサから画像センサが検出した光の強度の情報と光を検出した方向を収集する（Ｓ３１０）。親機の画像センサ２ａは親機以外の画像センサ２ｂ〜２ｄにおいて画像検出部２１である一定の強度以上の光を検出した画像センサ２ｂ〜２ｄを隣接している画像センサであるものと認識し記憶部２５に保存する。隣接する画像センサの認識が終わると画像センサ２ａは配下の照明器具の通信部１４に消灯信号を送り照明器具１を消灯させる。
【００５７】
次に、隣接していると認識された画像センサ２ｂ〜２ｄはアドレスの小さい順に同様の動作を繰り返す。すべての画像センサ２ａ〜２ｄがそれぞれどの画像センサと隣接しているのかが決定されるまでこの動作を繰り返す（Ｓ３１１）。各画像センサ２ｂ〜２ｄの隣接関係は通信部２４からすべて親機の画像センサ２ａの通信部２４へ送られ記憶部２５に保存される。親機の画像センサ２ａは記憶部２５に保存した各画像センサ２ｂ〜２ｄの隣接関係を通信部２４からコントローラ３の通信部３４へ送信する。信号を受け取ったコントローラ３は通信部３４から外部端末４の通信部４４へ送信する。外部端末４は画像センサの隣接関係の情報を受け取ると記憶部４５へ保存する。
【００５８】
外部端末４は、記憶部４５に保存しているマップデータを読み出す。次に外部端末４は通信部４４からコントローラ３の通信部３４を介して親機の画像センサ２ａの通信部２４へ配下の照明器具を全点灯させる信号を送信する。信号を受け取った画像センサ２ａは通信部２４から配下の照明器具の通信部１４へ照明器具を全点灯させる信号を送信し、親機の画像センサ２ａの配下の照明器具は全点灯する。
【００５９】
図５、６に示すように設置設定者は照明器具が点灯している画像センサ２ａの位置を目視により確認し、外部端末４の表示部４６に表示されているマップデータ上での位置を指定する。
【００６０】
マップデータ上での親機の画像センサ２ａの位置が決定され、これまでに外部端末４に集めた画像センサ２ａ〜２ｄの隣接関係から親機以外の画像センサ２ｂ〜２ｄの位置を図６のように決定する。これによりすべての画像センサ２ａ〜２ｄのマップデータ上での位置が決定される。また、これらの画像センサ２ａ〜２ｄはそれぞれ配下の照明器具の位置を記憶部４５に保存しているので、照明器具の位置も同時に決定される。
【００６１】
［１−３．効果等］
以上のように、本実施の形態において画像センサ２ａ〜２ｄは配下の４台の照明器具のアドレスと位置を検出し記憶する。検出した位置情報を元にそれぞれの画像センサ２ａ〜２ｄが配下の４台の照明器具を順次全点灯させ、画像センサ２ａ〜２ｄの隣接関係を決定する。画像センサ間の隣接関係が決定された後、親機の画像センサ２ａの配下の照明器具を全点灯させる。
【００６２】
設定者は点灯している照明器具から親機の画像センサ２ａの位置を確認し、外部端末４上のマップデータにおいて画像センサを１点指定し、外部端末４上のマップデータにおける親機の画像センサ２ａの位置を決定する。次に、これまで外部端末４に集められた画像センサ２ａ〜２ｄの隣接関係より、親機の画像センサ２ａの位置からその他の画像センサ２ｂ〜２ｄの位置を決定でできる。
【００６３】
これにより、これまで設定者が１台ごとに照明器具を点灯させて、対応する照明器具のアイコンなどを外部端末４の画面を操作して一つ一つ配置して行っていた、照明器具の位置割り当ての手間を削減することができる。
【符号の説明】
【００６４】
１  照明器具
２  画像センサ
３  コントローラ
４  外部端末
１１  光源部
１２、２２、３２、４２  電源部
１３、２３、３３、４３  判断部
１４、２４、３４、４４  通信部
１５、２５、３５、４５  記憶部
２１  画像検出部
４１  操作部
４６  表示部
【図１】
2017085455.tif 000003
【図２】
2017085455.tif 000004
【図３】
2017085455.tif 000005
【図４】
2017085455.tif 000006
【図５】
2017085455.tif 000007
【図６】
2017085455.tif 000008